【事件の表示】
　平成　３年特許願第　６４３８２号「ビデオテープレコーダ」拒絶査定に対する審判事件［平成　４年１０月２３日出願公開、特開平　４−３０１２８５］について、次のとおり審決する。
【結　論】
　本件審判の請求は、成り立たない。
【理　由】
１．手続の経緯・本願発明
　本願は、平成３年３月２８日の出願であって、その請求項１ないし６に係る発明は、平成１１年６月２２日付の手続補正書により補正された明細書及び図面の記載からみて、その特許請求の範囲の請求項１ないし６に記載されたとおりのものと認めるところ、請求項１に係る発明（以下「本願発明１」という。）は、以下のとおりである。
「【請求項１】　頭出し信号を磁気テープに書き込み／読み出して、前記磁気テープに記録した情報の頭出しを行なう機能を備えたビデオテープレコーダであって、挿入されたカセットを識別するカセット識別手段と、記録する情報に関するインデックス情報を入力または収集する情報獲得手段と、前記カセットに収納されている前記磁気テープの残量情報を検出する残量検出手段と、前記カセット識別手段と前記情報獲得手段と前記残量検出手段からの情報を格納するメモリ手段と、記録開始時または記録終了時において前記各情報を前記メモリ手段に書き込む書き込み手段と、前記カセット識別手段からのカセット識別情報に基づいて前記メモリ手段から前記インデックス情報と前記テープ残量情報を読み出す読み出し手段と、前記読み出し手段により読み出された前記インデックス情報を映像信号化してモニタに出力する信号処理手段と、前記モニタに表示されたインデックス情報から再生する情報を選択するプログラム選択手段と、前記プログラム選択手段により選択された情報に対応したテープ残量情報と前記残量検出手段により検出した現在のテープ残量情報を比較し、その結果に基づいて前記磁気テープを早送り／巻き戻しを行い、前記残量検出手段により検出される現在のテープ残量情報と前記選択された情報に対応したテープ残量情報との差が所定値以内になれば前記頭出し信号を検出する動作に移行するプログラム検索手段と、前記プログラム検索手段にて前記頭出し信号が検出されると前記磁気テープ上の記録情報を再生して前記モニタに出力する再生手段とを備えたビデオテープレコーダ。」
　
２．引用例記載の発明
　これに対して、原査定の拒絶の理由に引用された引用例１（特開昭５８−９４２８７号公報）には、「磁気記録再生装置」に関する発明について、以下の記載がある。
・「磁気テープに映像信号を記録再生する磁気記録再生装置において、磁気記録した映像信号に対応した録画内容情報を記憶する記憶手段と、映像表示手段に該録画内容情報を文字変換して表示する手段とを設けたことを特徴とする磁気記録再生装置。」（特許請求の範囲）
・「本発明はＶＴＲ、特に録画日時、番組、テープ進行位置、カセット番号などの情報を同時に記録し、再生時に文字信号として発生させる録画内容表示機能を有するＶＴＲに関するものである。」（公報第１頁下左欄第１１行〜第１４行）
・「まず記録時について説明する。まず記録しようとするカセットの番号を文字指定装置１０により入力する。・・・（途中略）・・・カセットにカセット番号を識別できる手段を備えている場合はカセット装填により自動的に番号が入力できるようにする。また、テープ検出装置６からのテープ進行位置情報、内蔵のチューナ８から出力された放送チャンネル名、内蔵タイマ９による録画開始および終了の日、時間、曜日および文字指定装置１０によるタイトルなどの文字情報は符号変更回路１５によりディジタル符号に変換される。・・・（途中略）・・・上記タイマからの出力情報、チャンネル情報、テープ進行位置、カセット番号などの情報を自動的に内蔵記録装置に記憶させることでカセット内に記録された内容を全てもれなく記憶させることができるわけである。・・・（途中略）・・・また、カセットテープのどの位置から録画が開始され終了したかという情報（テープ進行位置）は録画が開始および終了された時、テープを駆動するサプライリールの回転数とテイクアップリールの回転数のどちらか、あるいは、両方あるいは２つの比を検出することで得られる。この情報をうるテープ位置検出装置６は一般に公知であるので詳述しない。さらに記録開始時に頭出しのための信号をフルイレーズヘッド１７などで書き込む従来技術を併用することは後述の一発頭出しの時極めて有利になる。」（公報第２頁上右欄第５行〜下右欄第９行）
・「次に再生時について説明する。・・・（途中略）・・・文字指定装置１０からカセットの番号を指定するとシステムコントロール２に含まれているマイコンの指令により記憶装置１１から指定したカセットの番号に対応する情報が出力され文字信号発生装置１３に入力される。文字信号発生装置１３では情報をビデオ信号処理回路３からの水平および垂直同期パルス３ｂに同期した文字信号に変換し発生する。文字信号はビデオ・文字混合回路１４に入力され、映像信号と加算混合されモニタＴＶ４に入力する。モニタＴＶ４上の録画内容をリスト化した映像の一例を第２図に示す。・・・（以下略）」（公報第２頁下右欄第１０行〜第３頁上右欄第３行）
・「次に見たい番組の一発頭出しの方法について説明する。まず文字指定装置１０から再生したい録画内容のテープ位置を指定する。一方テープの現在位置をテープ位置検出装置６により検出し、１５ｂ，６ｂを介して、指定位置と検出位置をシステムコントロール部２内のマイコンに入力させる。テープ走行の方向および停止をマイコン内で判別しテープ走行制御回路５を作動する。・・・（途中略）・・・キーインが終るとカセットテープはＦＦあるいはＲＥＷモードになりテープ駆動用リールが回転を始め、テープの現在位置検出２０を行なう（現在位置検出はテープが走行している間は常に行われる）。システムコントロール部２は、目標の位置に向ってＦＦあるいはＲＥＷモードによりテープ送りを開始する。システムコントロール部２ではテープ検出位置と指定位置の判断２１がくり返され、目標の位置に近づくとＦＦあるいはＲＥＷモードからピクチャーサーチ（標準の５〜１０倍程度）モードへのモード切換２２がシステムコントロール部２によって行われる。・・・（途中略）・・・自動的に頭出しを行なう場合は目標に近づくと頭出しヘッド１７，頭出し回路１６により頭出し信号の読み出しを行ない、頭出し信号が読み出されたところでテープを止めることもできる。・・・（途中略）・・・なお、一発頭出しを行なった場合、テープをストップさせるだけでなく、スチルモードで静止画面にすることもできるし、そのまま見たい番組を再生モードで再生させることもできる。」（公報第３頁上右欄第４行〜下右欄第１９行）
　以上の記載及び各図面の記載を参照すると引用例１には、以下の発明が記載されているものと認める。
頭出し信号を磁気テープに書き込み／読み出して、前記磁気テープに記録した情報の頭出しを行なう機能を備えたＶＴＲであって、
カセット装填時にカセット番号を識別するカセット識別手段と、
前記磁気テープのテープ進行位置を検出するテープ位置検出装置と、
カセット識別手段からの情報と、内蔵チューナ、タイマ等から得た放送チャンネル名、録画開始および終了の日、時間、曜日などの情報（以下「放送チャンネル名等」という。）と、前記テープ位置検出装置からのテープ進行位置情報を記憶する記憶装置と、
放送チャンネル名等を映像信号化してモニタＴＶに出力するビデオ信号処理回路やビデオ・文字混合回路信号処理回路と、
モニタＴＶに表示された放送チャンネル名等から再生したい録画番組を選択する文字指定装置と、
録画開始時または録画終了時において前記カセット識別手段からの情報と前記放送チャンネル名等と前記テープ進行位置情報を前記記憶装置に記憶させ、
前記カセット識別手段からのカセット識別情報に基づいて前記記憶装置から前記放送チャンネル名等と前記テープ進行位置情報を出力させ、
前記文字指定装置により選択された再生したい録画番組に対応したテープの指定位置と前記テープ位置検出装置により検出した現在位置により前記磁気テープをＦＦあるいはＲＥＷモードでテープ送りを行い、指定位置と現在位置の判断により目標の位置に近づくと前記頭出し信号の読み出しを行う一発頭出し動作に移行し、前記頭出し信号が読み出されると前記磁気テープ上の記録情報を再生して前記モニタＴＶに出力させるシステムコントロール部と、
を備えたＶＴＲ。
　
３．対比
　ここで、本願発明１と引用例１記載の発明を対比すると、引用例１記載の発明の「ＶＴＲ」、「カセット識別手段」、「放送チャンネル名、録画開始および終了の日、時間、曜日などの情報」、「記憶装置」、「モニタＴＶ」、「ビデオ信号処理回路やビデオ・文字混合回路信号処理回路」、「文字指定装置」、「番組」、「ＦＦ」、「ＲＥＷ」は、それぞれ本願発明１の「ビデオテープレコーダ」、「挿入されたカセットを識別するカセット識別手段」、「記録する情報に関するインデックス情報」、「メモリ手段」、「モニタ」、「信号処理手段」、「プログラム選択手段」、「プログラム」、「早送り」、「巻き戻し」に相当することは明らかである。
　また、引用例１記載の発明の「システムコントロール部」は、その機能からみて、本願発明１の「情報獲得手段」、「書き込み手段」、「読み出し手段」、「プログラム検索手段」、「再生手段」を有するものと認められる。
　したがって、本願発明１と引用例１記載の発明は、
頭出し信号を磁気テープに書き込み／読み出して、前記磁気テープに記録した情報の頭出しを行なう機能を備えたビデオテープレコーダであって、
挿入されたカセットを識別するカセット識別手段と、
記録する情報に関するインデックス情報を入力または収集する情報獲得手段と、
前記カセットに収納されている前記磁気テープの特定のテープ情報を検出する手段と、
前記カセット識別手段と前記情報獲得手段と前記特定のテープ情報を検出する手段からの特定のテープ情報を格納するメモリ手段と、
記録開始時または記録終了時において前記各情報を前記メモリ手段に書き込む書き込み手段と、
前記カセット識別手段からのカセット識別情報に基づいて前記メモリ手段から前記インデックス情報と前記特定のテープ情報を読み出す読み出し手段と、
前記読み出し手段により読み出された前記インデックス情報を映像信号化してモニタに出力する信号処理手段と、
前記モニタに表示されたインデックス情報から再生する情報を選択するプログラム選択手段と、
前記プログラム選択手段により選択された情報に対応した特定のテープ情報と前記特定のテープ情報を検出する手段により検出した現在の特定のテープ情報を比較し、その結果に基づいて前記磁気テープを早送り／巻き戻しを行い、前記特定のテープ情報を検出する手段により検出される現在の特定のテープ情報と前記選択された情報に対応した特定のテープ情報との差が所定値以内になれば前記頭出し信号を検出する動作に移行するプログラム検索手段と、
前記プログラム検索手段にて前記頭出し信号が検出されると前記磁気テープ上の記録情報を再生して前記モニタに出力する再生手段とを備えたビデオテープレコーダ。
　
である点で一致し、以下の点で本願発明１は引用例１記載の発明と相違するものと認められる。
特定のテープ情報を検出する手段が、本願発明１では、テープ残量を検出する残量検出手段であるのに対し、引用例１記載の発明では、テープの進行位置を検出するテープ位置検出装置である点
　
４．当審の判断
　上記相違点について検討する。
　本願発明１における残量検出手段は、選択されたプログラムに対応したテープ残量情報と現在のテープ残量情報を得るために設けられており、得られた２つの残量情報は選択されたプログラムを検索する情報として用いられているものと認められる。即ち、本願発明１のテープ残量情報は、磁気テープ上のプログラムの位置に関する情報、現在の磁気テープ上の位置に関する情報として用いられていると言うことができる。
　一方、引用例１記載の発明におけるテープ位置検出装置は、磁気テープ上のプログラムの位置に関する情報である指定位置情報、現在の磁気テープ上の位置に関する情報である現在位置情報を得るために設けられており、得られた２つの位置情報は選択された番組（プログラム）を検索する情報として用いられている。
　してみれば、上記相違点は、テープの位置に関する情報を本願発明１がテープの残量検出手段から得ている点で引用例１記載の発明と相違していることに起因しているものと認められる。
　しかしながら、テープの位置に関する情報をテープ残量を検出することによって得る手段は周知手段にすぎず（必要があれば、特開昭５５−６４６７３号公報、特開昭６４−８８９８７号公報を参照されたい。）、引用例１記載のビデオテープレコーダのテープの位置に関する情報をテープの残量を検出することで得るようにすることは当業者が適宜想到し得ることであると認められる。
　
５．むすび
　以上のとおりであるので、本願発明１は、上記引用例１に記載された発明に基いて当業者が容易に発明することができたものと認められるから、特許法第２９条第２項の規定により特許を受けることができない。
　よって、結論のとおり審決する。